(57)【要約】【課題】広告効率の向上を図ることができるとともに、更なる情報処理装置の普及を促進することができる情報処理装置を提供する。【解決手段】画面に情報を表示する表示手段と、情報処理装置本体を駆動し、その際に必要な情報を画面に表示するメインシステムと、画面に広告情報を表示する広告システムと、起動指示を受け付ける起動受付手段と、起動指示が受け付けられたとき、メインシステム及び広告システムの双方を起動させる起動手段と、画面を少なくとも第１の表示領域と第２の表示領域に区分する区分手段と、メインシステムにより表示される情報を第１の表示領域に、広告システムにより表示される広告情報を第２の表示領域にそれぞれ表示させる表示制御手段と、を備えた。【選択図】  図２
2011022287.tif 000002
【特許請求の範囲】
【請求項１】
画面に情報を表示する表示手段と、
情報処理装置本体を駆動し、その際に必要な情報を前記画面に表示するメインシステムと、
前記画面に広告情報を表示する広告システムと、
起動指示を受け付ける起動受付手段と、
前記起動受付手段により起動指示が受け付けられたとき、前記メインシステム及び広告システムの双方を起動させる起動手段と、
前記起動受付手段により起動指示が受け付けられたとき、前記画面を少なくとも第１の表示領域と第２の表示領域に区分する区分手段と、
前記起動手段により前記双方のシステムが起動されたとき、前記メインシステムにより表示される情報を前記第１の表示領域に、前記広告システムにより表示される広告情報を前記第２の表示領域にそれぞれ表示させる表示制御手段と、
を備えたことを特徴とする情報処理装置。
【請求項２】
前記起動手段により前記広告システムが起動されたとき、前記広告情報を提供する外部サーバに対して広告情報を要求するとともに、この外部サーバから広告情報を受信する通信手段を備え、
前記表示制御手段は、前記通信手段により受信された広告情報を前記第２の表示領域に表示させることを特徴とする請求項１記載の情報処理装置。
【請求項３】
前記起動手段により前記広告システムが起動されたとき、前記広告情報のカテゴリを選択させるためのカテゴリ選択部を前記第２の表示領域の一部に表示させるカテゴリ選択手段を備え、
前記通信手段は、前記カテゴリが前記カテゴリ選択手段により選択されたとき、その選択されたカテゴリの広告情報を要求する要求信号を前記外部サーバに送信し、前記外部サーバからそのカテゴリに属する広告情報を受信することを特徴とする請求項２記載の情報処理装置。
【請求項４】
前記広告情報を記憶する記憶手段を備え、
前記表示制御手段は、前記通信手段により広告情報が受信できなかったとき、前記記憶手段により記憶された広告情報を前記第２の表示領域に表示させることを特徴とする請求項２および３記載の情報処理装置。
【請求項５】
画面を有する情報処理装置と、広告情報を提供する広告情報提供サーバとを備えた広告提供システムであって、
前記情報処理装置は、
前記画面に情報を表示させる表示手段と、
起動指示を受け付ける起動受付手段と、
前記起動受付手段により起動指示が受け付けられたとき、情報処理装置本体を駆動し、その際に必要な情報を前記画面に表示させるメインシステムと前記画面に広告情報を表示させる広告システムの双方を起動させる起動手段と、
前記起動受付手段により起動指示が受け付けられたとき、前記画面を少なくとも第１の表示領域と第２の表示領域に区分する区分手段と、
前記起動手段により前記広告システムが起動されたとき、前記広告情報提供サーバに対して広告情報の要求信号を送信するとともに、前記広告情報提供サーバから広告情報を受信する通信手段と、
前記起動手段により前記双方のシステムが起動されたとき、前記メインシステムにより表示される情報を前記第１の表示領域に、前記広告システムにより表示される広告情報であって前記通信手段により受信された広告情報を前記第２の表示領域にそれぞれ表示させる表示制御手段とを備え、
前記広告情報提供サーバは、
前記情報処理装置から要求信号を受信する受信手段と、
前記受信手段により要求信号が受信されたとき、前記情報処理装置に対して広告情報を送信する送信手段とを備えたことを特徴とする広告提供システム。
【請求項６】
前記情報処理装置は、前記起動手段により前記広告システムが起動されたとき、広告情報のカテゴリを選択させるためのカテゴリ選択部を前記第２の表示領域の一部に表示させるカテゴリ選択手段を備え、
前記情報処理装置の通信手段は、前記カテゴリ選択手段により選択されたとき、そのカテゴリ選択情報を前記外部サーバに送信する一方、前記外部サーバからそのカテゴリに属する広告情報を受信する手段を有し、
前記広告提供サーバは、広告情報とそのカテゴリ情報とをそれぞれ対応付けて記憶する記憶手段を備え、
前記広告情報提供サーバの受信手段は、前記情報処理装置からカテゴリ選択情報を受信し、
前記広告提供サーバの送信手段は、前記カテゴリ選択情報により選択された広告情報を前記記憶手段から取得して、この広告情報を前記情報処理装置に送信することを特徴とする請求項５記載の広告提供システム。
【請求項７】
起動指示を受け付ける起動受付ステップと、
前記起動受付ステップにて起動指示が受け付けられたとき、情報処理装置本体を駆動し、その際に必要な情報を画面に表示するメインシステム及び前記画面に広告情報を表示する広告システムの双方を起動させる起動ステップと、
前記起動受付ステップにて起動指示が受け付けられたとき、前記画面を少なくとも第１の表示領域と第２の表示領域に区分する区分ステップと、
前記起動ステップにて前記双方のシステムが起動されたとき、前記メインシステムにより表示される情報を前記第１の表示領域に、前記広告システムにより表示される広告情報を前記第２の表示領域にそれぞれ表示させる表示制御ステップと、
を有することを特徴とする情報処理装置の広告提供方法。
【請求項８】
前記起動ステップにて前記広告システムが起動されたとき、前記広告情報を提供する外部サーバに対して広告情報を要求するとともに、この外部サーバから広告情報を受信する通信ステップを有し、
前記表示制御ステップにて、前記通信ステップにて受信された広告情報を前記第２の表示領域に表示させることを特徴とする請求項７記載の情報処理装置の広告提供方法。
【請求項９】
画面を有する情報処理装置と、広告情報を提供する広告情報提供サーバとを備えた広告提供システムの広告提供方法であって、
前記情報処理装置は、
起動指示を受け付ける起動受付ステップと、
前記起動受付ステップにて起動指示が受け付けられたとき、前記情報処理装置本体を駆動し、その際に必要な情報を前記画面に表示させるメインシステムと前記画面に広告情報を表示させる広告システムの双方を起動させる起動ステップと、
前記起動受付ステップにて起動指示が受け付けられたとき、前記画面を少なくとも第１の表示領域と第２の表示領域に区分する区分ステップと、
前記起動ステップにて前記広告システムが起動されたとき、前記広告情報提供サーバに対して広告情報の要求信号を送信するとともに、前記広告情報提供サーバから広告情報を受信する通信ステップと、
前記起動ステップにて前記双方のシステムが起動されたとき、前記メインシステムにより表示される情報を前記第１の表示領域に、前記広告システムにより表示される広告情報であって前記通信ステップにて受信された広告情報を前記第２の表示領域にそれぞれ表示させる表示制御ステップとを有し、
前記広告情報提供サーバは、
前記情報処理装置から要求信号を受信する受信ステップと、
前記受信ステップにて要求受信が受信されたとき、前記情報処理装置に対して広告情報を送信する送信ステップとを有することを特徴とする広告提供システムの広告提供方法。
【発明の詳細な説明】
【技術分野】
【０００１】
本発明は、メインシステムの画面を表示する際に、この画面の同一画面上に広告を表示することができる情報処理装置、広告提供システム、情報処理装置の広告提供方法及び広告提供システムの広告提供方法に関する。
【背景技術】
【０００２】
近年、ＰＣ（パーソナルコンピュータ）などの情報処理装置を広く普及させるために、通信会社が自社通信を利用することを条件として購入費用を半分以上負担して、ＰＣを安く販売することも行われているが、やはり大半のＰＣは非常に高額であり、個人が手軽に購入できないという問題があった。一方、一般に市販されているＰＣでは、ＯＳ（Ｏｐｅｒａｔｉｎｇ  Ｓｙｓｔｅｍ）の制御に基づいて表示される画面が主にディスプレイに表示されるのが一般的であった。そこで、ＰＣのディスプレイに強制的に広告を表示させることを条件として、広告会社に購入費用を負担してもらうことによって、安くＰＣを販売することが考えられる。
【０００３】
ＰＣに広告を表示するプログラムとして、例えば、ユーザに対する不快感を抑制しつつ広告表示回数の増加を図り、広告効率の向上を図ることができる広告表示機能付きプログラムが提案されている（特許文献１参照）。この広告表示付き機能プログラムは、情報処理端末上で実行される所定のプログラムの起動後に、そのプログラムの作動状況に応じて予め設定されたタイミングで広告データを表示部に表示し、また、ネットワークに接続された所定の広告データを配信する広告配信サーバにアクセスして所定の広告データを取得するものである。
【先行技術文献】
【特許文献】
【０００４】
【特許文献１】特開２００５−２１６０３５号公報
【発明の概要】
【発明が解決しようとする課題】
【０００５】
しかしながら、特許文献１記載の発明では、情報処理装置のモニタ画面に広告情報を表示させるためには、事前に広告情報機能つきのアプリケーションプログラムを情報処理装置に配信しておかなければならず、広告情報が配信されていない場合には情報処理装置を起動しても直ちに広告を表示させることができなかった。また、広告機能付きのアプリケーションプログラムによるモニタ画面への広告表示と、他のアプリケーションプログラムの起動による情報表示とを、一つのモニタ画面に同時に表示させることができなかった。このために、広告効率が低いという問題が発生していた。
【０００６】
上述したようにＰＣは非常に高額であるため、生活において非常に便利に使用されるのにも関わらず普及が遅れている。ＰＣが安価に販売されるようになれば、ＰＣを通して多くの情報がやり取りされて、人々の生活に多大な利便をもたらすことができる。
【０００７】
本発明は、上記課題を鑑みなされたもので、広告効率の向上を図ることができるとともに、更なる情報処理装置の普及を促進することができる情報処理装置、広告提供システム、情報処理装置の広告提供方法及び広告提供システムの広告提供方法を提供することを目的とする。
【課題を解決するための手段】
【０００８】
上記課題を解決するために、本発明に係る情報処理装置は、画面に情報を表示する表示手段と、情報処理装置本体を駆動し、その際に必要な情報を前記画面に表示するメインシステムと、前記画面に広告情報を表示する広告システムと、起動指示を受け付ける起動受付手段と、前記起動受付手段により起動指示が受け付けられたとき、前記メインシステム及び広告システムの双方を起動させる起動手段と、前記起動受付手段により起動指示が受け付けられたとき、前記画面を少なくとも第１の表示領域と第２の表示領域に区分する区分手段と、前記起動手段により前記双方のシステムが起動されたとき、前記メインシステムにより表示される情報を前記第１の表示領域に、前記広告システムにより表示される広告情報を前記第２の表示領域にそれぞれ表示させる表示制御手段と、を備えたことを特徴とする。
【０００９】
また、本発明に係る広告提供システムは、画面を有する情報処理装置と、広告情報を提供する広告情報提供サーバとを備えた広告提供システムであって、前記情報処理装置は、前記画面に情報を表示させる表示手段と、起動指示を受け付ける起動受付手段と、前記起動受付手段により起動指示が受け付けられたとき、情報処理装置本体を駆動し、その際に必要な情報を前記画面に表示させるメインシステムと前記画面に広告情報を表示させる広告システムの双方を起動させる起動手段と、前記起動受付手段により起動指示が受け付けられたとき、前記画面を少なくとも第１の表示領域と第２の表示領域に区分する区分手段と、前記起動手段により前記広告システムが起動されたとき、前記広告情報提供サーバに対して広告情報の要求信号を送信するとともに、前記広告情報提供サーバから広告情報を受信する通信手段と、前記起動手段により前記双方のシステムが起動されたとき、前記メインシステムにより表示される情報を前記第１の表示領域に、前記広告システムにより表示される広告情報であって前記通信手段により受信された広告情報を前記第２の表示領域にそれぞれ表示させる表示制御手段とを備え、前記広告情報提供サーバは、前記情報処理装置から要求信号を受信する受信手段と、前記受信手段により要求信号が受信されたとき、前記情報処理装置に対して広告情報を送信する送信手段とを備えたことを特徴とする。
【００１０】
また、本発明に係る情報処理装置の広告提供方法は、起動指示を受け付ける起動受付ステップと、前記起動受付ステップにて起動指示が受け付けられたとき、情報処理装置本体を駆動し、その際に必要な情報を画面に表示するメインシステム及び前記画面に広告情報を表示する広告システムの双方を起動させる起動ステップと、前記起動受付ステップにて起動指示が受け付けられたとき、前記画面を少なくとも第１の表示領域と第２の表示領域に区分する区分ステップと、前記起動ステップにて前記双方のシステムが起動されたとき、前記メインシステムにより表示される情報を前記第１の表示領域に、前記広告システムにより表示される広告情報を前記第２の表示領域にそれぞれ表示させる表示制御ステップと、を有することを特徴とする。
【００１１】
また、本発明に係る広告提供システムの広告提供方法は、画面を有する情報処理装置と、広告情報を提供する広告情報提供サーバとを備えた広告提供システムの広告提供方法であって、前記情報処理装置は、起動指示を受け付ける起動受付ステップと、前記起動受付ステップにて起動指示が受け付けられたとき、前記情報処理装置本体を駆動し、その際に必要な情報を前記画面に表示させるメインシステムと前記画面に広告情報を表示させる広告システムの双方を起動させる起動ステップと、前記起動受付ステップにて起動指示が受け付けられたとき、前記画面を少なくとも第１の表示領域と第２の表示領域に区分する区分ステップと、前記起動ステップにて前記広告システムが起動されたとき、前記広告情報提供サーバに対して広告情報の要求信号を送信するとともに、前記広告情報提供サーバから広告情報を受信する通信ステップと、前記起動ステップにて前記双方のシステムが起動されたとき、前記メインシステムにより表示される情報を前記第１の表示領域に、前記広告システムにより表示される広告情報であって前記通信ステップにて受信された広告情報を前記第２の表示領域にそれぞれ表示させる表示制御ステップとを有し、前記広告情報提供サーバは、前記情報処理装置から要求信号を受信する受信ステップと、前記受信ステップにて要求受信が受信されたとき、前記情報処理装置に対して広告情報を送信する送信ステップとを有することを特徴とする。
【発明の効果】
【００１２】
本発明に係る情報処理装置、広告提供システム、情報処理装置の広告提供方法及び広告提供システムの広告提供方法によれば、広告効率の向上を図ることができるとともに、更なる情報処理装置の普及を促進することが可能である。
【図面の簡単な説明】
【００１３】
【図１】本発明に係る広告提供システムを示すシステム構成図。
【図２】本発明に係る広告提供システムが情報処理装置に広告情報を提供する方法を説明するための概略図。
【図３】本発明に係る広告提供システムにおいて、情報処理装置がメインシステムの画面データとアドシステムの画面データとを同一画面上に同時に表示した場合の表示画面を示す画面図。
【図４】本発明に係る情報処理装置の機能を示すブロック図。
【図５】本発明に係る広告提供システムが有する広告提供サーバの機能を示すブロック図。
【図６】端末リスト情報を示すデータ構成図。
【図７】広告提供情報を示すデータ構成図。
【図８】本発明に係る情報処理装置が広告提示制御処理を行う際の手順を示すフローチャート。
【図９】（Ａ）乃至（Ｄ）は、本発明に係る広告提供システムにおいて広告を提示する際の情報処理装置に表示される画面を示す画面遷移図。
【図１０】本発明に係る情報処理装置がアドシステム起動処理を行う際の手順を示すフローチャート。
【図１１】本発明に係る広告提供システムにおいて広告提供サーバが情報処理装置に広告情報を提供する広告提供処理を行う際の手順を示すフローチャート。
【図１２】本発明に係る情報処理装置がユーザ操作制御処理を行う際の手順を示すフローチャート。
【図１３】本発明に係る広告提供システムにおいて広告提供サーバが情報処理装置に広告情報を提供する広告提供処理を行う際の手順を示すフローチャート。
【図１４】本発明に係る広告提供システムにおいて広告提供サーバが情報処理装置に購入情報を提供する購入制御処理を行う際の手順を示すフローチャート。
【図１５】（Ａ）は、２面のディスプレイを備えた情報処理装置を正面方向から見た斜視図、（Ｂ）は、２面のディスプレイを備えた情報処理装置を背面方向から見た斜視図。
【図１６】（Ａ）は、第１のディスプレイの表示画面を示す画面図、（Ｂ）は、第２のディスプレイの表示画面を示す画面図。
【発明を実施するための形態】
【００１４】
以下、本発明に係る情報処理装置、広告提供システム、及び情報処理装置、広告提供システムの広告提供方法の実施形態について、添付図面に基づいて説明する。図１は、本発明に係る広告提供システム１００を示すシステム構成図である。図１に示すように、広告提供システム１００は、広告を表示する情報処理装置の一例であるＰＣ（パーソナルコンピュータ）１、広告提供サーバ２を備えている。ＰＣ１と広告提供サーバ２は例えばインターネットやＷＡＮ（Ｗｉｄｅ  Ａｒｅａ  Ｎｅｔｗｏｒｋ）などのネットワーク３に例えば有線接続されている。しかし、ネットワーク３は複数のアクセスポイント３ａを備えているので、ＰＣ１は、近隣のアクセスポイント３ａに例えば無線接続されることによりネットワーク３に接続して、このネットワーク３を介して広告提供サーバ２に対して通信を行っても良い。
【００１５】
また、ＰＣ１は、インターネットやＷＡＮなどのネットワーク４に接続されている。ネットワーク４は、多数のウェブサーバ５が例えば有線接続されていて、ＰＣ１はネットワーク４を介してウェブサーバ５から様々な情報の提供を受けることができる。なお、ネットワーク３とネットワーク４は同一の通信回線網であっても良い。
【００１６】
図２は、ＰＣ１が広告提供サーバ２から広告情報を受信して、ユーザに対して広告を提示する方法を説明するための概略図である。  
（１）まず、図２に示すように、ＰＣ１の図示省略のパワースイッチがユーザによりオン操作されると、このオン操作をユーザによる起動指示の一例としてＰＣ１が起動される。すると、ＰＣ１は、ＯＳ（Ｏｐｅｒａｔｉｎｇ  Ｓｙｓｔｅｍ）などのメインシステムのプログラムが起動されるとともに、画面に広告情報を表示するアドシステム（広告システム）のプログラムが起動される。ＯＳは例えばＷＩＮＤＯＷＳ（登録商標）などである。  
（２）次に、ＰＣ１は、アドシステムの制御により、広告提供サーバ２に対して端末を特定するための端末ＩＤ情報を送信する。  
（３）端末ＩＤ情報を受信した広告提供サーバ２は、予め記憶されている複数の広告情報の中から、端末ＩＤ情報に基づいて最適な広告情報を選択する。  
（４）そして広告提供サーバ２は、選択された広告情報をＰＣ１に対して送信する。  
（５）ＰＣ１は、メインシステムの画面データとアドシステムの画面データとを同一画面上にほぼ同時に表示する。
【００１７】
なお、メインシステムは、例えばＯＳであり、ＰＣ１の本体を駆動し、その際に必要な情報をディスプレイ１４に表示させるシステムである。アドシステムは、ネットワーク３を介して広告情報を取得てしてディスプレイ１４に表示させるシステムである。
【００１８】
図３は、広告提供システム１００において、ＰＣ１がメインシステムの画面データ（情報）とアドシステムの画面データ（情報）とを同一画面上にほぼ同時に表示した場合の表示画面１４ａを示す画面図である。図３に示すように、ディスプレイ１３の表示画面１３ａは、後述する区分手段により、メインシステム用の表示領域１４ｂ（第１の表示領域）とアドシステム用の表示領域１４ｃ（第２の表示領域）とに区分されるとともに、メインシステム用の表示領域１４ｂにはメインシステムにより生成された画面が表示され、アドシステム用の表示領域１４ｃにはアドシステムにより生成された画面が表示される。
【００１９】
図４は、ＰＣ１の機能を示すブロック図である。ＰＣ１は、例えば一般家庭に普及しているＰＣ（Ｐｅｒｓｏｎａｌ  Ｃｏｍｐｕｔｅｒ）などであり、図４に示すように、制御部１１、メモリ１２、記憶部１３、表示画面１４ａを有するディスプレイ１４、キーボード１５、第１の通信制御部１６及び第２の通信制御部１７を備えていて、これらはバスブリッジやコントローラ等により相互に通信可能に接続されている。
【００２０】
制御部１１はＣＰＵ（Ｃｅｎｔｒａｌ  Ｐｒｏｃｅｓｓｉｎｇ  Ｕｎｉｔ）を具備し、ＰＣ１を総括的に制御する。また、制御部１１は、ユーザによるＰＣ１の起動指示を受け付ける例えばパワースイッチなどの起動受付手段と、この起動受付手段により起動指示が受け付けられたとき、メインシステム及びアドシステムの双方を起動させる起動手段と、ディスプレイ１４の表示画面１４ａを少なくとも第１の表示領域と第２の表示領域に区分する区分手段と、メインシステムにより表示される情報を第１の表示領域に、アドシステムにより表示される広告情報を第２の表示領域にそれぞれ表示させる表示制御手段と、を具備している。また、制御部１１は、アドシステムの制御により、起動受付手段により起動指示が受け付けられたときに広告提供サーバ２に対して広告情報を要求するとともに、この広告提供サーバ２から広告情報を受信する通信手段を備えていて、これらの手段により広告提示制御処理などの様々な処理を行う。
【００２１】
メモリ１２は、例えばＲＡＭ（Ｒａｎｄｏｍ  Ａｃｃｅｓｓ  Ｍｅｍｏｒｙ）を具備し、制御部１１が処理を行う際の作業領域として、一時的にデータを記憶する。記憶部１３は、ＨＤ（Ｈａｒｄ  Ｄｉｓｋ）やＲＯＭ（Ｒｅａｄ  Ｏｎｌｙ  Ｍｅｍｏｒｙ）、不揮発性メモリ等の記憶装置を具備し、これらの記憶装置に、ＯＳ（Ｏｐｅｒａｔｉｎｇ  Ｓｙｓｔｅｍ）などのメインシステムのプログラム１３ａや、広告情報を表示させるアドシステムのプログラム１３ｂ、及び制御部１１が有する起動手段や区分手段などを実現するためのプログラムやデータが記憶されている。
【００２２】
また、制御部１１は、ディスプレイ１４に対するインタフェースを備え、このディスプレイ１４に文書データや画像データなどを含んだ画面データを表示する。また制御部１１は、キーボード１５に対する入力インタフェースを備えていて、ユーザによりキーボード１５のいずれかのキーが押下されたことを検知すると、この押下されたキーに対応する処理を行う。また、マウスなどの外部入力装置に対する入力インタフェースを備えていて、ＰＣ１にマウスなどが接続されている場合には、マウスなどが操作されたことを検知すると、この操作に対応する処理を行う。
【００２３】
第１の通信制御部１６は、通信回線網であるネットワーク３に対する通信インタフェースを備えている。第１の通信制御部１６は、制御部１１の制御に基づいて、ネットワーク３を介して広告提供サーバ２とデータ通信をする。あるいは、第１の通信制御部１６は、ネットワーク３のアクセスポイント３ａに対して電波を送受信するためのアンテナ１６ａ、ネットワーク３に対する通信インタフェースを備えていても良い。この場合には、第１の通信制御部１６は、制御部１１の制御に基づいて、例えばアンテナ１６ａを介して受信した受信信号からデータを復元して、このデータをメモリ１２や記憶装置１３に記憶する。また第１の通信制御部１６は、制御部１１の指示により、記憶部１３に記憶されたデータを取得すると、これらのデータをアンテナ１６ａを介してアクセスポイント３ａに対して送信する。
【００２４】
第２の通信制御部１７は、通信網であるネットワーク４に対する通信インタフェースを備えている。第２の通信制御部１７は、制御部１１の制御に基づいて、ネットワーク４を介してウェブサーバ５や他の情報処理装置などとデータ通信をする。
【００２５】
図５は、広告提供サーバ２の機能を示すブロック図である。広告提供サーバ２は、図５に示すように、少なくとも制御部２１、メモリ２２、記憶部２３、通信制御部２４を備えていて、これらはバスブリッジやコントローラ等により相互に通信可能に接続されている。
【００２６】
制御部２１はＣＰＵを具備し、広告提供サーバ２を総括的に制御するとともに、後述するアドシステムのプログラムにより駆動される広告提供処理や、その他の様々な演算処理や制御処理を行う。メモリ２２は、例えばＲＡＭを具備し、制御部２１が処理を行う際の作業領域として、一時的にデータを記憶する。記憶部２３は、ＨＤやＲＯＭ等の記憶装置を具備し、制御部２１が処理を行うためのプログラムやデータを記憶する。
【００２７】
通信制御部２４は、ネットワーク３に対する通信インタフェースを備えている。通信制御部２４は、制御部２１の制御に基づいて、ネットワーク３を介して情報処理装置（例えばＰＣ１）とデータ通信をする。
【００２８】
また、記憶部２３の端末情報記憶部２３ａは、端末リスト情報３０を記憶している。図６は、端末リスト情報３０を示すデータ構成図である。端末リスト情報３０は、図６に示すように、端末ＩＤを示す端末ＩＤ情報３１に対して、少なくとも、端末のユーザの年代を示す年代情報３２、端末のユーザの性別を示す性別情報３３、端末のユーザの趣味を示す趣味情報３４がそれぞれ対応付けられた情報である。端末ＩＤ情報３１に対応する各々の情報は、端末が登録される際にユーザによって入力された情報であっても、その端末により最後に選択された項目に基づいた情報であっても良い。
【００２９】
例えば図６に示す端末リスト情報３０によると、「０００１」の端末ＩＤ情報３１に対して、「２０代」の年代情報３２、「女」の性別情報３３、「ファッション、読書」の趣味情報３４がそれぞれ対応付けられている。広告提供サーバ２は、ＰＣ１により広告情報が要求された際に例えば「０００１」の端末ＩＤを受信した場合には、「２０代」、「女」、「ファンション」、「読書」のいずれか又はすべてのカテゴリに属する広告を抽出して、ＰＣ１に提供する。
【００３０】
また、記憶部２３の広告情報記憶部２３ｂは、広告リスト情報４０を記憶している。図７は、広告リスト情報４０を示すデータ構成図である。広告リスト情報４０は、広告ＩＤ情報４１に対して、対象年代情報４２、対象性別情報４３、対象趣味情報４４、コンテンツ情報４５がそれぞれ対応付けられた情報である。コンテンツ情報４５は、例えばＵＲＬ（Ｕｎｉｆｏｒｍ  Ｒｅｓｏｕｒｃｅ  Ｌｏｃａｔｏｒ）で表されている。
【００３１】
例えば図６に示す広告リスト情報４０によると、「Ａ」の広告ＩＤ情報４１に対して、「２０代」の対象年代情報４２、「女」の対象性別情報４３、「ファッション」の対象趣味情報４４、「／ｋｏｕｋｏｋｕ／Ａ／ｉｎｄｅｘ．ｈｔｍｌ」のコンテンツ情報４５がそれぞれ対応付けられている。広告提供サーバ２は、ＰＣ１により広告情報が要求された際に例えば「０００１」の端末ＩＤを受信した場合には、端末リスト情報３０からこの端末ＩＤに対応付けられている「２０代」、「女」、「ファンション」、「読書」などのカテゴリを取得して、これらのカテゴリのいずれか、またはこれらのカテゴリの全てに属するコンテンツ情報を複数抽出して、抽出されたコンテンツ情報を広告情報としてＰＣ１に提供する。
【００３２】
ここで、ＰＣ１は、ユーザにより起動ボタンが押下される等により起動が指示されたときに、メインシステムに併せてアドシステムをほぼ同時に起動してユーザに対して広告情報を提示する広告提示制御処理を行う。ＰＣ１がこの広告提示制御処理を行う際の手順を、図８に示すフローチャート、図９（Ａ）乃至図９（Ｄ）に示す画面遷移図に基づいて説明する。以下、例えば「ステップＳ１０１」を「Ｓ１０１」のように「ステップ」の語句を省略して説明する。
【００３３】
なお、記憶部１３には予め所定の広告情報が記憶されているものとする。この所定の広告情報は、例えば予め記憶部１３に記憶されていても良く、前回の使用時に最後に表示されていた広告情報が記憶部１３に記憶されるようにしても良い。
【００３４】
まずＰＣ１の制御部１１は、起動受付手段により、ユーザにより電源が投入されたか否かを判断する（Ｓ１０１）。この際、制御部１１は、例えばパワースイッチが押下されたことに基づいて、電源が投入されたものと判断する。電源が投入されていない場合（Ｓ１０１のＮｏ）は、制御部１１はそのまま待機する。
【００３５】
電源が投入された場合（Ｓ１０１のＹｅｓ）は、制御部１１は、起動手段により、記憶部１３に記憶されているメインシステムのプログラム１３ａを起動する（Ｓ１０３）。ＰＣ１においてメインシステムが起動されることにより、ユーザがＰＣ１を簡単に操作することが可能となっている。制御部１１は、起動手段により、記憶部１３に記憶されているアドシステムのプログラム１３ｂを起動する（Ｓ１０５）。アドシステムは、起動されると、広告提供サーバ２から広告情報を取得して例えばディスプレイ１４に表示することにより、ユーザに対して広告情報を提示するシステムである。このアドシステム起動処理については後述する。
【００３６】
制御部１１は、区分手段により、ディスプレイ１４における表示領域を、ステップＳ１０３にて起動されたメインシステム用の表示領域（第１の表示領域）、ステップＳ１０５にて起動されたアドシステム用の表示領域（第２の表示領域）に区分する（Ｓ１０７）。この際、例えば図９（Ａ）に示すように、ディスプレイ１４の表示画面１４ａにおいて、メインシステム用の表示領域１４ｂ、アドシステム用の表示領域１４ｃが生成される。
【００３７】
制御部１１は、表示制御手段により、ステップＳ１０７にて生成されたメインシステム用の表示領域１４ｂ（第１の表示領域）に、メインシステムの画面データ（情報）を表示させる（Ｓ１０９）。また、制御部１１は、表示制御手段により、ステップＳ１０９の処理と並行させるようにして、ステップＳ１０７にて生成されたアドシステム用の表示領域１４ｃ（第２の表示領域）に、アドシステムの画面データ（情報）を表示させる（Ｓ１１１）。
【００３８】
このようにしてＰＣ１は、ユーザにより起動が指示された際に、メインシステムとアドシステムとをほぼ同時に起動させるとともに、ディスプレイ１４の表示画面１４ａをメインシステム用の表示領域１４ｂとアドシステム用の表示領域１４ｃとに区分して、メインシステム用の表示領域１４ｂにメインシステムの画面データを、アドシステム用の表示領域１４ｃにアドシステムの画面データをそれぞれ表示させる。
【００３９】
次に、ＰＣ１がアドシステム起動処理を行う際の手順を、図１０に示すフローチャートに基づいて説明する。ＰＣ１の制御部１１は、通信手段により、ステップＳ１０５にてアドシステムが起動された際、アドシステムの制御により、広告提供サーバ２に対して自身の端末ＩＤを含んだ端末情報を送信する（Ｓ２０１）。広告提供サーバ２は、ＰＣ１から端末ＩＤを受信すると、このＰＣ１に対して最適な広告情報を返信してくる。
【００４０】
そこで制御部１１は、通信手段により、広告提供サーバ２から広告情報を受信したか否かを判断する（Ｓ２０３）。この際、制御部１１は、所定時間内に広告情報を受信しなかった場合や、広告提供サーバ２からエラー情報を受信した場合に、広告情報を受信しなかったものと判断する。広告情報を受信した場合（Ｓ２０３のＹｅｓ）は、制御部１１は、表示制御手段により、受信した広告情報を表示用データとする（Ｓ２０５）。広告情報を受信しなかった場合（Ｓ２０３のＮｏ）は、制御部１１は、表示制御手段により、記憶部１３に記憶されている広告情報を表示用データとする（Ｓ２０７）。
【００４１】
このようにしてＰＣ１は、起動時に広告提供サーバ２から適切に広告情報を受信できた場合にはこの広告情報を表示して、広告情報を受信できなかった場合には、予め保有している広告情報を表示する。
【００４２】
次に、広告提供サーバ２は、ＰＣ１から端末情報を受信した場合に、このＰＣに対して広告情報を提供する広告提供処理を行う。広告提供サーバ２がこの広告提供処理を行う際の手順について、図１１に示すフローチャートに基づいて説明する。
【００４３】
広告提供サーバ２の制御部２１は、端末ＩＤを含む端末情報を受信したか否かを判断する（Ｓ３０１）。端末ＩＤを受信していない場合（Ｓ３０１のＮｏ）は、制御部２１はそのまま待機する。端末ＩＤを受信した場合（Ｓ３０１のＹｅｓ）は、制御部２１は、受信した端末ＩＤ、記憶部２３に記憶されている端末リスト情報３０に基づいて、広告情報４０から最適な広告情報を検索する（Ｓ３０３）。
【００４４】
主制御部２１は、広告情報を取得できたか否かを判断する（Ｓ３０５）。この際、制御部２１は、例えば端末ＩＤに対して適応する広告情報が見つかった場合に、広告情報を取得できたものと判断する。広告情報を取得できた場合（Ｓ３０５のＹｅｓ）は、制御部２１は、ステップＳ３０５にて取得した広告情報をＰＣ１に送信する（Ｓ３０７）。広告情報を取得できなかった場合（Ｓ３０５のＮｏ）は、制御部２１は、記憶部２３から予め決められているデフォルトの広告情報を取得して、ＰＣ１に送信する（Ｓ３０９）。
【００４５】
このようにして広告提供サーバ２は、ＰＣ１から端末ＩＤを受信した際に、この端末に最適な広告情報を検索して、見つかった場合には最適な広告情報をＰＣ１に送信し、見つからなかった場合にはデフォルトの広告情報を送信する。
【００４６】
図９（Ａ）に示すように、ステップＳ１１１にてＰＣ１のディスプレイ１４のアドシステム用の表示領域１４ｃにカテゴリ選択欄１４ｄや広告選択欄１４ｅが表示されると、ユーザは、キーボード１５やマウスを用いてカテゴリや広告を選択することができる。ＰＣ１は、ユーザによりカテゴリや広告が選択された場合、そのユーザ操作に基づいた制御処理を行う。ＰＣ１がこのユーザ操作制御処理を行う際の手順について、図１２に示すフローチャートに基づいて説明する。
【００４７】
ＰＣ１の制御部１１は、カテゴリ選択欄１４ｄからいずれかの操作ボタンが選択されたか否かを判断する（Ｓ４０１）。操作ボタンが選択されていない場合（Ｓ４０１のＮｏ）は、制御部１１はそのまま待機する。
【００４８】
操作ボタンが選択された場合（Ｓ４０１のＹｅｓ）は、制御部１１は、選択された操作ボタンに対応する広告情報を取得するために、広告提供サーバ２に対して広告情報を要求する（Ｓ４０３）。この際、制御部１１は、選択された操作ボタンに関する情報を含んだ要求情報を広告提供サーバ２に対して送信することで、広告情報を要求する。
【００４９】
制御部１１は、広告提供サーバ２から、ステップＳ４０３にて要求した広告情報を受信したか否かを判断する（Ｓ４０５）。広告情報を受信していない場合（Ｓ４０５のＮｏ）は、制御部１１は広告情報を受信するまで待機する。広告情報を受信した場合（Ｓ４０５のＹｅｓ）は、制御部１１は、アドシステム用の表示領域１４ｃ（第１の表示領域）に、受信した広告情報に基づいて生成された広告リストを表示させる（Ｓ４０７）。
【００５０】
例えば図９（Ｂ）に示すように、ステップＳ４０１にて、カテゴリ選択欄１４ｄにおいて「女性」、「２０代」、「衣服」の選択ボタンが選択された場合、ステップＳ４０３にて、これらの「女性」、「２０代」、「衣服」の情報がＰＣ１から広告提供サーバ２に送信される。その後、ステップＳ４０５にて、ＰＣ１が広告提供サーバ２から広告情報を受信すると、ステップＳ４０７にて、ＰＣ１のディスプレイ１４の広告情報選択欄１４ｅに、この広告情報に基づいて生成された広告Ｆ、広告Ｇ、広告Ｈなどの広告リストが表示される。
【００５１】
次に、制御部１１は、広告選択欄１４ｅから広告が選択されたか否かを判断する（Ｓ４０９）。操作ボタンが選択されていない場合（Ｓ４０９のＮｏ）は、制御部１１はそのまま待機する。操作ボタンが選択された場合（Ｓ４０９のＹｅｓ）は、制御部１１は、アドシステム用の表示領域１４ｃ（第１の表示領域）の全面に、選択された広告を表示させる（Ｓ４１１）。
【００５２】
例えば図９（Ｃ）に示すように、ステップＳ４０９にて、広告選択欄１４ｅにおいて「広告Ｈ」が選択された場合、ステップＳ４１１にて、ＰＣ１のディスプレイ１４の広告情報選択欄１４ｅの全面に、この広告Ｈが表示される。またこの際、広告Ｈの表示内容には購入ボタン１４ｆが設けられていて、ユーザが広告Ｈにより広告されている商品を購入したい場合には、この購入ボタン１４ｆを選択することによりこの商品の購入画面に遷移させすることができる。
【００５３】
制御部１１は、購入ボタン１４ｆが選択されたか否かを判断する（Ｓ４１３）。購入ボタン１４ｆが選択されていない場合（Ｓ４１３のＮｏ）は、制御部１１はそのまま待機する。操作ボタンが選択された場合（Ｓ４１３のＹｅｓ）は、制御部１１は、アドシステム用の表示領域１４ｃ（第１の表示領域）を拡大させる（Ｓ４１５）。この際、制御部１１は、例えばメインシステム用の表示領域１４ｂとアドシステム用の表示領域１４ｃとを区分し直して、アドシステム用の表示領域１４ｃを広くしても良く、または、メインシステム用の表示領域１４ｂの一部をアドシステム用の表示領域１４ｃに変更しても良く、あるいは、メインシステム用の表示領域１４ｂにアドシステムにより生成された画面データを重ねて表示させるようにしても良い。
【００５４】
制御部１１は、ステップＳ４１５にて拡大されたアドシステム用の表示領域１４ｃ（第１の表示領域）に、ステップＳ４１３にて購入ボタン選択された広告の購入画面１４ｇを表示させる（Ｓ４１７）。図９（Ｄ）は、メインシステム用の表示領域１４ｂにアドシステムの購入画面１４ｇを重ねて表示させた状態を示す画面図である。図９（Ｄ）に示すように、購入画面１４ｇには確定ボタン１４ｈが設けられている。ユーザは、この確定ボタン１４ｈを選択することにより、ＰＣ１に対して購入確定の指示を出す。
【００５５】
そこで制御部１１は、購入が確定されたか否かを判断する（Ｓ４１９）。この際、制御部１１は、確定ボタン１４ｈが選択されたことに基づいて、購入が確定されたものと判断する。購入が確定されていない場合（Ｓ４１９のＮｏ）は、制御部１１はそのまま待機する。購入が確定された場合（Ｓ４１９のＹｅｓ）は、制御部１１は、ＰＣ１の端末ＩＤ、広告Ｈの商品情報を含んだ購入情報を広告提供サーバ２に送信して、購入処理を行う（Ｓ４２１）。
【００５６】
このようにしてＰＣ１は、ユーザにより広告情報のカテゴリが選択された場合、そのカテゴリに属する広告情報を広告提供サーバ２に対して要求するとともに、この広告提供サーバ２から広告情報を受信してディスプレイ１４に表示する。またＰＣ１は、ユーザによりいずれかの広告が選択された場合、選択された広告を大きく表示させる。さらにＰＣ１は、ユーザにより広告に含まれる商品の購入が指示された場合には、ディスプレイ１４に購入画面を表示させてユーザに対して購入を促す。
【００５７】
広告提供サーバ２は、ステップＳ４０３にてＰＣ１から広告情報を要求された際に、要求情報を受信すると、その要求された広告情報をＰＣ１に提供する広告提供処理を行う。広告提供サーバ２がこの広告提供処理を行う際の手順について、図１３に示すフローチャートに基づいて説明する。
【００５８】
広告提供サーバ２の制御部２１は、ステップＳ４０３にて送信された要求情報を受信したか否かを判断する（Ｓ５０１）。要求情報を受信していない場合（Ｓ５０１のＮｏ）は、制御部２１はそのまま待機する。要求情報を受信した場合（Ｓ５０１のＹｅｓ）は、制御部２１は、この要求情報により要求された広告情報（要求情報に含まれている選択項目の情報に対応する広告情報）を、広告情報記憶部２３ｂから取得する（Ｓ５０３）。例えば広告提供サーバ２が「女性」の選択項目が含まれている要求情報を取得した場合は、制御部２１は、広告情報記憶部２３ｂに記憶されている広告リスト情報４０において対象性別情報４３が「女性」に設定されているコンテンツ情報４５を広告情報として取得する。そして制御部２１は、ステップＳ５０３にて取得した広告情報を、ＰＣ１に対して送信する（Ｓ５０５）。一方でＰＣ１は、この広告情報を受信してディスプレイ１４に表示させる。
【００５９】
このようにして広告提供サーバ２は、ＰＣ１から広告情報が要求された場合に、記憶部２３に記憶されている広告情報の中から最適な広告情報を抽出してＰＣ１に対して送信する。
【００６０】
また、広告提供サーバ２は、ステップＳ４２１にてＰＣ１から送信された購入情報を受信した際に、その購入情報に基づいて購入制御処理を行う。広告提供サーバ２がこの購入制御処理を行う際の手順について、図１４に示すフローチャートに基づいて説明する。
【００６１】
広告提供サーバ２の制御部２１は、ステップＳ４２１にて送信された購入情報を受信したか否かを判断する（Ｓ６０１）。購入情報を受信していない場合（Ｓ６０１のＮｏ）は、制御部２１はそのまま待機する。購入情報を受信した場合（Ｓ６０１のＹｅｓ）は、制御部２１は、この購入情報に含まれている購入商品の情報に基づいて、ポイントを算出する（Ｓ６０３）。そして制御部２１は、ステップＳ６０３にて算出したポイントの情報を、ＰＣ１に対して送信する（Ｓ６０５）。広告提供サーバ２１は、このポイント情報に基づいてＰＣ１の価格を割り引いたり、他の商品の購入を促したりすることができる。
【００６２】
このようにして広告提供サーバ２は、ＰＣ１から購入情報を受信した場合に、購入対象の商品に関するポイントを算出して、購入処理を行う。
【００６３】
実施形態として、ＰＣ１の起動時にメインシステムとアドシステムとがほぼ同時に起動される場合について説明したが、これに限定されず、ＰＣ１においてユーザにより所定の操作がされたタイミングでメインシステムとアドシステムとを同時に起動するようにしても良い。
【００６４】
また、実施形態として、ＰＣ１のディスプレイ１４を区分してメインシステム用の表示領域１４ｂとアドシステム用の表示領域１４ｃとを生成する場合について説明したが、これに限定されず、２面のディスプレイ１８、１８Ａを備えた情報処理装置の一例であるＰＣ１Ａにおいて、一方のディスプレイ１８をメインシステム用の表示領域１４ｂとして、他方のディスプレイ１８Ａをアドシステム用の表示領域１４ｃとして、表示制御するようにしても良い。
【００６５】
図１５（Ａ）は、ＰＣ１Ａを正面方向から見た斜視図であり、図１５（Ｂ）は、ＰＣ１Ａを背面方向から見た斜視図である。図１５（Ａ）及び図１５（Ｂ）に示すように、ＰＣ１Ａは、使用時の正面側に第１のディスプレイ１８を備え、使用時の背面側に第２のディスプレイ１８Ａを備えている。
【００６６】
図１６（Ａ）は、第１のディスプレイ１８の表示画面を示す画面図であり、図１６（Ｂ）は、第２のディスプレイ１８Ａの表示画面を示す画面図である。図１６（Ａ）に示すように、ＰＣ１Ａの正面側に設けられた第１のディスプレイ１８には、メインシステムにより生成された画面データが表示される。また、図１６（Ｂ）に示すように、ＰＣ１Ａの背面側に設けられた第２のディスプレイ１８Ａには、アドシステムにより生成された画面データが表示される。これにより、ユーザがＰＣ１Ａの正面側でメインシステムを操作している状態であっても、背面側には広告情報が表示されているため、ユーザ以外の第３者に対する広告効果を向上させることができる。
【００６７】
本発明に係る情報処理装置１、１Ａ、広告提供システム１００、情報処理装置１、１Ａの広告提供方法及び広告提供システム１００の広告提供方法によると、広告効率の向上を図ることができるとともに、更なる情報処理装置１、１Ａの普及を促進することが可能となる。
【符号の説明】
【００６８】
１００…広告提供システム，１、１Ａ…ＰＣ，２…広告提供サーバ，３…第１のネットワーク，３ａ…アクセスポイント，４…ネットワーク，５…ウェブサーバ，１１、２１…制御部，１２、２２…メモリ，１３…記憶部，１４…ディスプレイ，１４ａ…表示画面，１４ｂ…メインシステム用の表示領域，１４ｃ…アドシステム用の表示領域，１４ｄ…カテゴリ選択欄，１４ｅ…広告選択欄，１４ｆ…購入ボタン，１４ｇ…購入画面，１５…キーボード，１６…第１の通信制御部，１６ａ…アンテナ，１７…通信制御部，１８…第１のディスプレイ，１８Ａ…第２のディスプレイ，２３ａ…端末情報記憶部，２３ｂ…広告情報記憶部，２４…通信制御部，３０…端末リスト情報，３１…端末ＩＤ情報，３２…年代情報，３３…性別情報，３４…趣味情報，４０…広告リスト情報，４１…広告ＩＤ情報，４２…対象年齢情報，４３…対象性別情報，４４…対象カテゴリ情報，４５…コンテンツ情報。
【図１】
2011022287.tif 000003
【図２】
2011022287.tif 000004
【図３】
2011022287.tif 000005
【図４】
2011022287.tif 000006
【図５】
2011022287.tif 000007
【図６】
2011022287.tif 000008
【図７】
2011022287.tif 000009
【図８】
2011022287.tif 000010
【図９】
2011022287.tif 000011
【図１０】
2011022287.tif 000012
【図１１】
2011022287.tif 000013
【図１２】
2011022287.tif 000014
【図１３】
2011022287.tif 000015
【図１４】
2011022287.tif 000016
【図１５】
2011022287.tif 000017
【図１６】
2011022287.tif 000018